(57)【要約】ロボット外科手術システムは、外科手術ロボットアームと、電気機械器具と、機器駆動装置と、連結シャフトとを含む。電気機械器具は、外科手術ロボットアームに着脱可能に連結されるように構成される。電気機械器具は、近位端と、エンドエフェクタを有する遠位端とを有するシャフトを含む。機器駆動装置は、エンドエフェクタを作動させるように構成されたモータを含む。連結シャフトは、縦軸を画定し、機器駆動装置と外科手術ロボットアームとの間に連結されるように構成され、その結果、機器駆動装置が、外科手術ロボットアームまたは電気機械器具に対して、連結シャフトの縦軸を中心として回転可能であるようにされる。【選択図】図３Ａ
2018519057.tif 000002
【特許請求の範囲】
【請求項１】
外科手術ロボットアームと、
前記外科手術ロボットアームに着脱可能に連結されるように構成され、近位端と、エンドエフェクタを有する遠位端とを有するシャフトを含む、電気機械器具と、
前記エンドエフェクタを作動させるように構成された少なくとも１つのモータを含む、機器駆動装置と、
連結シャフトであって、縦軸を画定し、少なくとも前記機器駆動装置が、前記外科手術ロボットアームまたは前記電気機械器具のうちの少なくとも１つに対して、前記連結シャフトの前記縦軸を中心として回転可能であるように、前記機器駆動装置と前記外科手術ロボットアームとの間に連結されるように構成された、連結シャフトと、
を備える、ロボット外科手術システム。
【請求項２】
前記機器駆動装置が、前記機器駆動装置の胴体部が前記電気機械器具の筐体部と整列している第１の状態と、前記機器駆動装置の前記胴体部が前記電気機械器具の前記筐体部と整列していない第２の状態との間で、前記電気機械器具に対して回転可能である、請求項１に記載のロボット外科手術システム。
【請求項３】
前記第１の状態において、前記機器駆動装置の前記胴体部が、前記電気機械器具が近位方向に移動することを防止し、前記第２の状態において、前記電気機械器具が、前記近位方向に移動可能である、請求項２に記載のロボット外科手術システム。
【請求項４】
前記外科手術ロボットアームに連結されるように構成された支持構造体をさらに備え、前記支持構造体が、
前記電気機械器具を受容するように構成されたそれを通した経路と、
前記連結シャフトを取り外し可能に受容するように構成されたそれを通した通路と、を画定する、請求項１に記載のロボット外科手術システム。
【請求項５】
前記支持構造体が、前記支持構造体の前記通路内部に、前記機器駆動装置の前記連結シャフトを保持するように、前記連結シャフトと選択的に係合可能なボタンを含む、請求項４に記載のロボット外科手術システム。
【請求項６】
前記機器駆動装置が、前記機器駆動装置に移動可能に取り付けられ、前記電気機械器具に着脱可能に連結されるように構成されたラッチをさらに含む、請求項１に記載のロボット外科手術システム。
【請求項７】
前記電気機械器具が、前記外科手術ロボットアームに着脱可能に連結されるように構成されたラッチをさらに含む、請求項１に記載のロボット外科手術システム。
【請求項８】
前記連結シャフトが、電気配線を受容するように構成されたそれを通した縦方向通路を画定する、請求項１に記載のロボット外科手術システム。
【請求項９】
前記電気機械器具が、近位端と、前記外科手術ロボットアームに連結されるように構成された遠位端とを有する筐体部をさらに含み、前記電気機械器具の前記シャフトが、前記筐体部によって支持され、前記機器駆動装置が、前記連結シャフトの前記縦軸からオフセットした中央縦軸を画定する胴体部をさらに含み、前記胴体部が、その内部に配置され、前記電気機械器具の前記筐体部の前記近位端に動作可能に連結されるように構成された、前記少なくとも１つのモータを有する、請求項１に記載のロボット外科手術システム。
【請求項１０】
前記外科手術ロボットアーム、前記機器駆動装置、前記電気機械器具、または前記連結シャフトのうちの少なくとも２つの間に延在するデイジーチェーンのセンサをさらに備える、請求項１に記載のロボット外科手術システム。
【請求項１１】
外科手術ロボットアームに連結されるように構成され、それを通した経路及び通路を画定する、支持構造体と、
電気機械器具であって、
近位端、及び前記支持構造体の前記経路内部に受容されるように構成された遠位端を有する筐体部、ならびに
前記筐体部によって支持された近位端、及びエンドエフェクタを有する遠位端を有するシャフトを含む、電気機械器具と、
機器駆動装置であって、
中央縦軸を画定し、内部に配置された少なくとも１つのモータを有する胴体部であって、前記電気機械器具の前記エンドエフェクタの動作を駆動するように、前記電気機械器具の前記筐体部の前記近位端に動作可能に連結されるように構成された、胴体部、ならびに
前記胴体部から遠位に延在し、前記胴体部の前記中央縦軸からオフセットした縦軸を画定する連結シャフトであって、前記機器駆動装置の前記連結シャフトが、前記支持構造体の前記通路内部に回転可能に受容されるように構成され、その結果、少なくとも前記機器駆動装置の前記胴体部が、前記電気機械器具に対して、前記連結シャフトの前記縦軸周りに回転可能である、連結シャフトを含む、機器駆動装置と、を備える、外科手術アセンブリ。
【請求項１２】
前記機器駆動装置が、前記機器駆動装置の前記胴体部が前記電気機械器具の前記筐体部と整列している第１の状態と、前記機器駆動装置の前記胴体部が前記電気機械器具の前記筐体部と整列していない第２の状態との間で、前記電気機械器具に対して回転可能である、請求項１１に記載の外科手術アセンブリ。
【請求項１３】
前記第１の状態において、前記機器駆動装置の前記胴体部が、前記電気機械器具が近位方向に移動することを防止し、前記第２の状態において、前記電気機械器具が、前記近位方向に移動可能である、請求項１２に記載の外科手術アセンブリ。
【請求項１４】
前記支持構造体が、前記支持構造体の前記通路内部に、前記機器駆動装置の前記連結シャフトを保持するように、前記機器駆動装置の前記連結シャフトと選択的に係合可能なボタンを含む、請求項１１に記載の外科手術アセンブリ。
【請求項１５】
前記機器駆動装置が、前記機器駆動装置の前記胴体部に移動可能に取り付けられ、前記電気機械器具の前記筐体部に着脱可能に連結されるように構成されたラッチをさらに含む、請求項１１に記載の外科手術アセンブリ。
【請求項１６】
前記電気機械器具が、前記電気機械器具の前記筐体部に移動可能に取り付けられ、前記支持構造体に着脱可能に連結されるように構成されたラッチをさらに含む、請求項１１に記載の外科手術アセンブリ。
【請求項１７】
前記支持構造体、前記機器駆動装置、または前記電気機械器具のうちの少なくとも２つの間に延在するデイジーチェーンのセンサをさらに備える、請求項１１に記載の外科手術アセンブリ。
【請求項１８】
外科手術ロボットシステムを動作させる方法であって、
外科手術ロボットアームを設けることと、
電気機械器具であって、
近位端、及び前記外科手術ロボットアームに連結されるように構成された遠位端を有する筐体部、ならびに
前記筐体部によって支持された近位端、及びエンドエフェクタを有する遠位端を有するシャフトを含む、電気機械器具を設けることと、
機器駆動装置であって、
中央縦軸を画定し、内部に配置された少なくとも１つのモータを有する胴体部であって、前記電気機械器具の前記エンドエフェクタの動作を駆動するように、前記電気機械器具の前記筐体部の前記近位端に動作可能に連結されるように構成された、胴体部、及び
前記胴体部から遠位に延在し、前記胴体部の前記中央縦軸からオフセットした縦軸を画定する連結シャフトであって、前記機器駆動装置の前記連結シャフトが、前記外科手術ロボットアームに連結されるように構成された、連結シャフトを含む、機器駆動装置を設けることと、
前記機器駆動装置の前記胴体部を、前記外科手術ロボットアーム及び前記電気機械器具に対して、前記連結シャフトの前記縦軸を中心として回転させることと、を含む、方法。
【請求項１９】
前記電気機械器具の前記筐体部の前記遠位端を、前記外科手術ロボットアームに動作可能に連結することと、
前記機器駆動装置の前記胴体部を、前記電気機械器具の前記筐体部の前記近位端に当接して位置付けることと、
をさらに含む、請求項１８に記載の方法。
【請求項２０】
前記機器駆動装置の前記胴体部を、前記電気機械器具の前記筐体部と整列させずに位置付けることをさらに含む、請求項１８に記載の方法。
【請求項２１】
前記機器駆動装置の前記胴体部が、前記電気機械器具の前記筐体部と整列せずに位置付けられた後、前記電気機械器具を前記外科手術ロボットアーム及び前記機器駆動装置に対して近位方向に移動させることをさらに含む、請求項２０に記載の方法。
【請求項２２】
前記電気機械器具が、前記筐体部に移動可能に取り付けられ、前記外科手術ロボットアームに着脱可能に連結されるように構成されたラッチをさらに含み、
前記方法が、前記電気機械器具を前記近位方向に移動させる前に、前記外科手術ロボットアームから前記ラッチを取り外すことをさらに含む、請求項２１に記載の方法。
【請求項２３】
外科手術ロボットアームと、
前記外科手術ロボットアームに着脱可能に連結されるように構成され、近位端、及びエンドエフェクタを有する遠位端を有するシャフトを含む、電気機械器具と、
前記エンドエフェクタを作動させるように構成された少なくとも１つのモータを含む、機器駆動装置であって、前記機器駆動装置が、前記外科手術ロボットアームにヒンジ式に連結され、その結果、前記機器駆動装置が、前記機器駆動装置が前記電気機械器具と整列している第１の状態と、前記機器駆動装置が前記電気機械器具と整列していない第２の状態との間で、前記外科手術ロボットアームに対して枢転可能である、機器駆動装置と、を備える、ロボット外科手術システム。
【請求項２４】
前記機器駆動装置が、
胴体部と、
前記胴体部に連結された近位端、及び前記外科手術ロボットアームにヒンジ式に連結された遠位端を有する連結シャフトと、をさらに含む、請求項２３に記載のロボット外科手術システム。
【請求項２５】
前記第１の状態において、前記機器駆動装置の前記胴体部が、前記電気機械器具が近位方向に移動することを防止し、前記第２の状態において、前記電気機械器具が、前記近位方向に移動可能である、請求項２４に記載のロボット外科手術システム。
【請求項２６】
外科手術ロボットアームに連結されるように構成された滅菌インターフェースであって、
外科手術ロボットアームに連結されるように構成され、外科手術器具を受容するように構成されたそれを通した経路を画定する、支持構造体と、
内部に前記支持構造体の少なくとも一部を収容するように前記支持構造体に連結された、滅菌ドレープと、を備える、滅菌インターフェース。
【請求項２７】
前記支持構造体が、
近位端及び遠位端を有し、前記近位端と前記遠位端との間で前記経路を画定する、本体と、
前記本体の前記近位端に連結される縁、及び前記縁から延在するシャフトを有する近位取り付け部材であって、前記シャフトが、前記本体の前記経路内部に配置される、近位取り付け部材と、
前記本体の前記遠位端に連結される、遠位取り付け部材と、を含む、請求項２６に記載の滅菌インターフェース。
【請求項２８】
前記滅菌ドレープが、前記近位取り付け部材と前記本体の前記近位端との間に捕捉された近位部と、前記遠位取り付け部材と前記本体の前記遠位端との間に捕捉された遠位部とを有する、請求項２７に記載の滅菌インターフェース。
【請求項２９】
前記滅菌ドレープが、誘電材料から形成される、請求項２６に記載の滅菌インターフェース。
【発明の詳細な説明】
【背景技術】
【０００１】
関連出願の相互参照
本願は、２０１５年６月２３日に出願された、米国仮特許出願第６２／１８３，４８６号の利益及びこれに対する優先権を主張し、その内容は、その全体が参照により本明細書に組み込まれる。
【０００２】
ロボット外科手術システムは、最小侵襲性医療手技において使用されている。いくつかのロボット外科手術システムは、外科手術ロボットアームと、ロボットアームに装着された少なくとも１つのエンドエフェクタ（例えば、鉗子または把持ツール）を有する外科手術器具とを支持するコンソールを含む。ロボットアームは、その動作及び移動に対する機械力を外科手術器具に提供する。
【０００３】
ロボット外科手術システムは、これらの器具が外科手術手順中に容易に交換されることを可能にすることによって、多くの異なるタイプの外科手術器具を支持してきた。典型的には、この器具の交換は、外科手術器具を、外科手術中に外科手術器具を作動させるモータを包含する機器駆動装置から取り外すことによって行われてきた。このことは、多くの場合、取り外しステップ中に、ヒトが一方の手で外科手術器具を持ち、他方の手で機器駆動装置を持つことを意味する。場合によっては、機器駆動装置は、ヒトの手から落下したことに起因して、またはヒトが機器駆動装置を別の対象物上にセットし、その後地面に落下したことに起因して、偶発的に地面に落ちる。
【０００４】
外科手術器具を機器駆動装置と交換すると同時に、器具の交換プロセス中の機器駆動装置の取り扱いの誤りを防止することに対する要望がある。
【発明の概要】
【課題を解決するための手段】
【０００５】
ロボット外科手術システムは、外科手術ロボットアームと、電気機械器具と、機器駆動装置と、連結シャフトとを含む。電気機械器具は、外科手術ロボットアームに着脱可能に連結されるように構成される。電気機械器具は、近位端と、エンドエフェクタを有する遠位端とを有するシャフトを含む。機器駆動装置は、エンドエフェクタを作動させるように構成されたモータを含む。連結シャフトは、縦軸を画定し、機器駆動装置と外科手術ロボットアームとの間に連結されるように構成され、その結果、機器駆動装置が、外科手術ロボットアームまたは電気機械器具に対して、連結シャフトの縦軸を中心として回転可能であるようにされる。
【０００６】
いくつかの実施形態では、機器駆動装置は、第１の状態と第２の状態との間で、電気機械器具に対して回転可能であり得る。第１の状態では、機器駆動装置の胴体部は、電気機械器具の筐体部と整列している。第１の状態では、機器駆動装置の胴体部は、電気機械器具が近位方向に移動することを防止し得る。第２の状態では、機器駆動装置の胴体部は、電気機械器具の筐体部と整列していない。第２の状態では、電気機械器具は、近位方向に移動可能であり得る。
【０００７】
本システムは、外科手術ロボットアームに連結されるように構成された支持構造体をさらに備え得ることが考えられる。支持構造体は、それを通して経路及び通路を画定し得る。経路は、電気機械器具を受容するように構成され、通路は、連結シャフトを取り外し可能に受容するように構成される。支持構造体は、支持構造体の通路内部に連結シャフトを保持するように、連結シャフトと選択的に係合可能なボタンを含み得る。
【０００８】
機器駆動装置は、電気機械器具の筐体部に着脱可能に連結されるように構成されたラッチをさらに含み得ることが想定される。
【０００９】
いくつかの態様では、電気機械器具は、外科手術ロボットアームに着脱可能に連結されるように構成されたラッチをさらに含み得る。
【００１０】
いくつかの実施形態では、連結シャフトは、それを通して電気配線を受容するように構成された縦方向通路を画定し得る。
【００１１】
電気機械器具は、近位端と、外科手術ロボットアームに連結されるように構成された遠位端とを有する筐体部をさらに含み得ることが考えられる。電気機械器具のシャフトは、筐体部によって支持され得る。機器駆動装置は、連結シャフトの縦軸からオフセットした中央縦軸を画定する胴体部をさらに含み得る。胴体部は、その内部に配置され、電気機械器具の筐体部の近位端に動作可能に連結されるように構成され得る。
【００１２】
いくつかの実施形態では、ロボット外科手術システムは、外科手術ロボットアーム、機器駆動装置、電気機械器具、または連結シャフトのうちの少なくとも２つの間に延在するデイジーチェーンのセンサをさらに備え得る。
【００１３】
本開示の別の態様では、外科手術アセンブリは、支持構造体と、電気機械器具と、機器駆動装置とを含む。支持構造体は、外科手術ロボットアームに連結されるように構成される。支持構造体は、それを通した経路及び通路を画定する。電気機械器具は、筐体部及びシャフトを含む。筐体部は、近位端と、支持構造体の経路内部に受容されるように構成された遠位端とを有する。シャフトは、筐体部によって支持された近位端と、エンドエフェクタを有する遠位端とを有する。機器駆動装置は、胴体部及び連結シャフトを含む。胴体部は、中央縦軸を画定し、内部に配置された少なくとも１つのモータを有する。胴体部は、電気機械器具のエンドエフェクタの動作を駆動するように、電気機械器具の筐体部の近位端に動作可能に連結されるように構成される。機器駆動装置の連結シャフトは、胴体部から遠位に延在し、胴体部の中央縦軸からオフセットした縦軸を画定する。機器駆動装置の連結シャフトは、機器駆動装置の連結シャフトが、支持構造体の通路内部に回転可能に受容されるように構成され、その結果、少なくとも機器駆動装置の胴体部が、電気機械器具に対して、連結シャフトの縦軸を中心として回転可能であるようにされる。
【００１４】
電気機械器具は、電気機械器具の筐体部に移動可能に取り付けられたラッチをさらに含み得ることが考えられる。ラッチは、支持構造体に着脱可能に連結されるように構成され得る。
【００１５】
いくつかの実施形態では、外科手術アセンブリは、支持構造体、機器駆動装置、または電気機械器具のうちの少なくとも２つの間に延在するデイジーチェーンのセンサをさらに備え得る。本開示のさらに別の態様では、外科手術ロボットシステムを動作させる方法は、外科手術ロボットアームと、電気機械器具と、機器駆動装置とを設けることを含む。電気機械器具は、筐体部及びシャフトを含む。筐体部は、近位端と、外科手術ロボットアームに連結されるように構成された遠位端とを有する。シャフトは、筐体部によって支持された近位端と、エンドエフェクタを有する遠位端とを有する。機器駆動装置は、胴体部及び連結シャフトを含む。胴体部は、中央縦軸を画定し、内部に配置された少なくとも１つのモータを有する。胴体部は、電気機械器具のエンドエフェクタの動作を駆動するように、電気機械器具の筐体部の近位端に動作可能に連結されるように構成される。機器駆動装置の連結シャフトは、胴体部から遠位に延在し、胴体部の中央縦軸からオフセットした縦軸を画定する。機器駆動装置の連結シャフトは、外科手術ロボットアームに連結されるように構成される。本方法は、機器駆動装置の胴体部を、外科手術ロボットアーム及び電気機械器具に対して、連結シャフトの縦軸を中心として回転させることをさらに含む。
【００１６】
いくつかの実施形態では、本方法は、電気機械器具の筐体部の遠位端を、外科手術ロボットアームに動作可能に連結することと、機器駆動装置の胴体部を、電気機械器具の筐体部の近位端に当接して位置付けることとをさらに含み得る。
【００１７】
機器駆動装置の胴体部を、電気機械器具の筐体部と整列せずに位置付けることをさらに含みうることが考えられる。機器駆動装置の胴体部が、電気機械器具の筐体部と整列せずに位置付けられた後、電気機械器具は、外科手術ロボットアーム及び機器駆動装置に対して近位方向に移動させられ得る。
【００１８】
電気機械器具は、筐体部に移動可能に取り付けられ、外科手術ロボットアームに着脱可能に連結されるように構成されたラッチをさらに含み得る。本方法は、電気機械器具を近位方向に移動させる前に、外科手術ロボットアームからラッチを取り外すことをさらに含み得る。
【００１９】
本開示のさらに別の態様では、ロボット外科手術システムの代替の実施形態が提供される。ロボット外科手術システムは、外科手術ロボットアームと、電気機械器具と、機器駆動装置とを含む。電気機械器具は、外科手術ロボットアームに着脱可能に連結されるように構成され、近位端と、エンドエフェクタを有する遠位端とを有するシャフトを含む。機器駆動装置は、エンドエフェクタを作動させるように構成されたモータを含む。機器駆動装置は、外科手術ロボットアームにヒンジ式に連結され、その結果、機器駆動装置は、第１の状態と第２の状態との間で外科手術ロボットアームに対して枢転可能である。第１の状態では、機器駆動装置は、電気機械器具と整列している。第２の状態では、機器駆動装置は、電気機械器具と整列していない。
【００２０】
いくつかの実施形態では、機器駆動装置は、胴体部及び連結シャフトをさらに含み得る。連結シャフトは、胴体部に連結される近位端と、外科手術ロボットアームにヒンジ式に連結される遠位端とを有し得る。
【００２１】
第１の状態では、機器駆動装置の胴体部は、電気機械器具が近位方向に移動することを防止し、第２の状態では、電気機械器具は、近位方向に移動可能であることが考えられる。
【００２２】
本開示の別の態様では、外科手術ロボットアームに連結されるように構成された滅菌インターフェースが提供される。滅菌インターフェースは、支持構造体と、支持構造体に連結される滅菌ドレープとを含む。支持構造体は、外科手術ロボットアームに連結されるように構成され、それを通して外科手術器具を受容するように構成された経路を画定する。滅菌ドレープは、その内部に支持構造体の少なくとも一部を収容する。
【００２３】
いくつかの実施形態では、支持構造体は、本体と、近位取り付け部材と、遠位取り付け部材とを含み得る。本体は、近位端及び遠位端を有し、近位端と遠位端との間で経路を画定し得る。近位取り付け部材は、本体の近位端に連結される縁と、縁から延在するシャフトとを有し得る。シャフトは、本体の経路内部に配置され得る。遠位取り付け部材は、本体の遠位端に連結され得る。
【００２４】
滅菌ドレープは、近位取り付け部材と本体の近位端との間で捕捉された近位部と、遠位取り付け部材と本体の遠位端との間で捕捉された遠位部とを有し得ることが考えられる。
【００２５】
滅菌ドレープは、誘電材料から形成され得ることが想定される。
【００２６】
本開示の例となる実施形態のさらなる詳細及び態様が、添付の図を参照して下により詳細に記載されている。
【００２７】
本明細書で使用される場合、平行及び垂直という用語は、実際の平行及び実際の垂直から最大約＋または−１０度まで略平行及び略垂直である相対的な構成を含むと理解される。
【図面の簡単な説明】
【００２８】
本開示の実施形態が、添付の図を参照して本明細書に記載されている。
【００２９】
【図１】本開示による外科手術アセンブリを含むロボット外科手術システムの概略図である。
【図２】外科手術ロボットアームから取り外された電気機械器具及び機器駆動装置を図示する、図１のロボット外科手術アセンブリの外科手術ロボットアームの斜視図である。
【図３Ａ】外科手術ロボットアームに連結される外科手術アセンブリの支持構造体及び電気機械器具と、外科手術ロボットアームから分離された外科手術アセンブリの機器駆動装置とを備える、図１の外科手術アセンブリの斜視図である。
【図３Ｂ】組み立て状態での、外科手術ロボットアームに連結された、図１の外科手術アセンブリの斜視図である。
【図４Ａ】機器駆動装置及び電気機械器具が、互いに整列し位置合わせされ、外科手術ロボットアームに連結された、組み立て状態での外科手術アセンブリの正面図である。
【図４Ｂ】電気機械器具が外科手術ロボットアームから取り外され、機器駆動装置が、電気機械器具と整列せず位置合わせされないように回転されると同時に、外科手術ロボットアームに取り付けられたままにされている、非組み立て状態での外科手術アセンブリの正面図である。
【図５Ａ】機器駆動装置及び電気機械器具が、互いに整列し位置合わせされ、外科手術ロボットアームに連結された、組み立てられた状態での外科手術アセンブリの別の実施形態の正面図である。
【図５Ｂ】電気機械器具が外科手術ロボットアームから取り外され、機器駆動装置が、電気機械器具と整列せず位置合わせされない位置に枢転されるかまたは関節動作すると同時に、外科手術ロボットアームに取り付けられたままにされている、非組み立て状態での図５Ａの外科手術アセンブリの正面図である。
【図６Ａ】滅菌ドレープの取り付けのための外科手術ロボットアーム取り付け部材のインターフェースの、一部が分離された斜視図である。
【図６Ｂ】図６Ａのインターフェース及び取り付け部材の、一部が分離された側面図である。
【発明を実施するための形態】
【００３０】
本開示の外科手術ロボットシステム及びその外科手術アセンブリの実施形態は、支持構造体と、電気機械器具と、機器駆動装置と、その方法とを含み、図を参照して詳細に記載されており、いくつかの図の各々において、同様の符号は同一または対応する要素を指定している。本明細書で使用される場合、「遠位」という用語は、ユーザからより遠い、ロボット外科手術システム、外科手術アセンブリ、またはその部品のその一部分を指し、「近位」という用語は、ユーザからより近い、ロボット外科手術システム、外科手術アセンブリ、またはその部品のその一部分を指す。
【００３１】
下に詳細に記載されたように、外科手術ロボットアームに取り付けられるように構成された外科手術アセンブリが提供される。外科手術アセンブリは、外科手術ロボットアームに連結されるように構成された電気機械器具と、電気機械器具の動作を駆動するための機器駆動装置とを含む。機器駆動装置は、電気機械器具と整列しないように回転されるように構成され、その結果、電気機械器具は、外科手術ロボットアームから機器駆動装置を取り外す必要なく、外科手術ロボットアームから取り除かれることができる。
【００３２】
図１及び２を最初に参照すると、例えば、ロボット外科手術システム１等の外科手術システムは、一般に、これに取り外し可能に取り付けられた電気外科手術器具１０及び機器駆動装置１００を有する複数の外科手術ロボットアーム２、３と、制御装置４と、制御装置４に連結された操作コンソール５とを含む。
【００３３】
操作コンソール５は、当業者に原則として知られているような、３次元画像を特に表示するように設定された表示装置６と、例えば外科医等のヒト（図示せず）が第１の動作モードでロボットアーム２、３を遠隔操作することができる手動入力装置７、８とを含む。ロボットアーム２、３の各々は、継手を通して接続された複数の部材から構成され得る。ロボットアーム２、３は、制御装置４に接続された電動駆動装置（図示せず）によって駆動され得る。制御装置４（例えば、コンピュータ）は、ロボットアーム２、３、取り付けられた機器駆動装置１００、及び電気外科手術器具１０（電気機械エンドエフェクタ１２を含む）が手動入力装置７、８の手段によって画定された移動に従って所望の移動を実行するように、特にコンピュータプログラムの手段によって駆動装置を作動させるように設定されている。制御装置４はまた、それがロボットアーム２、３及び／または駆動装置の移動を制御するように設定され得る。
【００３４】
ロボット外科手術システム１は、例えば電気外科手術器具１０等の外科手術器具の手段によって最小侵襲性方法で治療するために、手術台「ＳＴ」に横たわる患者「Ｐ」に対して使用されるように構成される。ロボット外科手術システム１はまた、２つを超えるロボットアーム２、３と、制御装置４に接続され、操作コンソール５の手段によって遠隔操作可能である同様の追加のロボットアームとを含み得る。例えば電気外科手術器具１０（電気機械エンドエフェクタ１２を含む）等の外科手術器具がまた、追加のロボットアームに取り付けられ得る。
【００３５】
制御装置４は、複数のモータ、例えばモータ（モータ１・・・ｎ）を制御し得、各々のモータは、ロボットアーム２、３の移動を複数の方向に駆動させるように構成される。さらに、制御装置４は、電気機械器具１０のエンドエフェクタ１２の様々な動作を駆動する、機器駆動装置１００内部に配置された複数のモータＭを制御し得る。実施形態において、機器駆動装置１００の各モータＭは、電気機械器具１０の電気機械エンドエフェクタ１２の動作及び／または移動を達成するために、駆動ロッドまたはレバーアーム（図示せず）を作動させるように構成されることができる。
【００３６】
ロボット外科手術システムの構成及び操作についての詳細な議論については、その全体的な内容が参照により本明細書に組み込まれる、「Ｍｅｄｉｃａｌ  Ｗｏｒｋｓｔａｔｉｏｎ」という発明の名称で、２０１１年１１月３日に出願された、米国特許出願公開第２０１２／０１１６４１６号を参照し得る。
【００３７】
図２、３Ａ及び３Ｂを参照すると、ロボット外科手術システム１は、外科手術アセンブリ３０を含み、これは、一般に、外科手術ロボットアーム２に連結されるように構成された支持構造体５０と、支持構造体５０に連結されるように構成された電気機械器具１０と、電気機械器具１０に連結されるように構成された機器駆動装置１００とを含む。機器駆動装置１００を電気機械器具１０とともに組み立てる際（図３Ｂ）、機器駆動装置１００は、例えば、ナイフ刃（図示せず）の移動及び／またはエンドエフェクタ１２の顎部材１４ａ、１４ｂの閉鎖及び開口等の、電気機械器具１０のエンドエフェクタ１２の部品の移動を最終的に駆動させるために、電気機械器具１０の作動機構（図示せず）にそのモータ「Ｍ」から電力及び作動力を伝達するように機能する。
【００３８】
外科手術アセンブリ３０の支持構造体５０は、下により詳細に記載されるように、電気機械器具１０を外科手術ロボットアーム２に連結するための、外科手術ロボットアーム２の継手「Ｊ」に接続するように構成される。いくつかの実施形態では、支持構造体５０は、外科手術ロボットアーム２と一体成形され得る。支持構造体５０は、外科手術ロボットアーム２の継手「Ｊ」の上部を包囲する環状部材５２と、環状部材５２の外縁から垂直に延在し、それとともに組み立てられたときに、電気機械器具１０の縦軸「Ｘ」に並行に延在する筒状部材またはステム５４とを有する。支持構造体５０の環状部材５２は、それを通して電気機械器具１０の通過のために構成された経路５６を画定する。支持構造体５０の筒状部材５４は、電気機械器具１０の筐体部１６内に形成された弓状くぼみまたは側方通路６４内に摺動可能に受容するように構成される。筒状部材５４は、下により詳細に記載されているように、それを通して縦方向に延在し、機器駆動装置１０の連結シャフト１２０を回転可能に受容するように構成された通路または穴５８をさらに画定する。
【００３９】
支持構造体５０は、支持構造体５０の環状部材５２に移動可能に取り付けられたボタン６０をさらに含む。ボタン６０は、ボタン６０の内部（図示せず）が、支持構造体５０の通路５８の内部に、またはそれを横切って部分的に配置される、第１の、すなわち非押圧状態と、ボタン６０の内部が、支持構造体５０の通路５８の内部に、またはそれを横切って部分的に延在しない、第２の、すなわち押圧状態との間で、支持構造体５０の環状部材５２に対して選択的に移動可能である。ボタン６０は、機器駆動装置１００の連結シャフト１２０を支持構造体５０に選択的に係合させてロックさせるように構成され、その結果、下により詳細に記載されているように、機器駆動装置１００が、支持構造体５０に連結されたときに、連結シャフト１２０の縦軸「Ｙ」に沿って移動することを防止するようにされる。
【００４０】
引き続き図３Ａ及び３Ｂを参照すると、外科手術アセンブリ３０の電気機械器具１０は、一般には、筐体部１６と、筐体部１６から遠位に延在するシャフト１８とを含む。筐体部１６は、筒状の構成を有し、近位端２０ａ及び遠位端２０ｂを含む。縦軸「Ｘ」は、近位端及び遠位端２０ａ、２０ｂの間に画定される。筐体部１６の近位端２０ａは、機器駆動装置１００の各モータ「Ｍ」から延在する、対応して成形された出力駆動連結具１１４を非回転可能に受容するように構成された複数の入力駆動連結具２２を有する。筐体部１６は、それぞれの入力駆動連結具２２から遠位に延在する被駆動部材（図示せず）を含む。このように、機器駆動装置１００の出力駆動連結具１１４の回転は、それぞれのモータＭの作動を介して、それぞれの入力駆動連結具２２を回転させ、電気機械器具１０のそれぞれの被駆動部材（図示せず）の回転を達成する。
【００４１】
電気機械器具１０の筐体部１６の遠位端２０ｂは、支持構造体５０の経路５６に受容され、支持構造体５０の内面（図示せず）に連結されるかまたは固定されるように構成される。いくつかの実施形態では、筐体部１６の遠位端２０ｂは、支持構造体５０を連結具として用いる代わりに、外科手術ロボットアーム２の継手「Ｊ」に直接連結され得る。電気機械器具１０は、筐体部１６の遠位端２０ｂに枢転可能に連結される第１の端２６と、第２の端（図示せず）とを有するラッチ２４をさらに含む。ラッチ２４の第２の端は、支持構造体５０の内側表面（図示せず）に着脱可能に連結され、電気機械器具１０を支持構造体５０と選択的にロックするように構成され得る。いくつかの実施形態では、ラッチ２４の第２の端は、外科手術ロボットアーム２の継手「Ｊ」に着脱可能に連結され、電気機械器具１０を支持構造体５０ではなく外科手術ロボットアーム２と選択的にロックするように構成され得る。いくつかの実施形態では、筐体部１６は、例えば、クリップ、ラッチ、摩擦嵌め嵌合、ボタン、様々な締付具、及び／またはバヨネット型接続等の様々な締付係合を介して、支持構造体５０及び／または外科手術ロボットアーム２に取り付けられ得る。
さらに、器具１０は、ラッチ２４または何らかの締付部材を有していなくてもよいことが考えられる。
【００４２】
電気機械器具１０のシャフト１８は、筐体部１６によって支持された近位端３０ａと、エンドエフェクタ１２を有する遠位端３０ｂとを有する。電気機械器具１０の被駆動部材（図示せず）は、電気機械器具１０の筐体部１６から、電気機械器具１０のシャフト１８を通して延在して、エンドエフェクタ１２の様々な部品に動作可能に連結し、その結果、各被駆動部材（図示せず）の回転及び／または軸方向移動のエンドエフェクタ１２の様々な機能の作動を達成するようにされる。
【００４３】
エンドエフェクタ１２は、一般に、一対の対向する顎部材１４ａ、１４ｂを含む。エンドエフェクタ１２は、開口構成から被駆動部材（図示せず）の作動によって移動され得、組織（図示せず）は、顎部材１４ａ、１４ｂと閉鎖構成との間で受容され、組織は、締め付けられ、かつ治療される。一実施形態では、対向する顎部材１４ａ、１４ｂは、それぞれ、対向する顎部材１４ａ、１４ｂに配置された一対の導電性の組織係合封止板（図示せず）に電気経路を提供するように、機器駆動装置１００から電気機械器具１０のシャフト１８を通って延在するそれぞれの好適な電気配線（図示せず）を介して、ケーブル及び発生器（図示せず）に電気的に連結され得る。
【００４４】
いくつかの実施形態では、エンドエフェクタ１２は、例えば、使い捨て装填ユニット、容器密封装置、直線ステープル装置、円形ステープル装置、カッタ、捕捉器具、生検装置、縫合装置、クリップアプライヤ、タックアプライヤ、電気外科手術装置、ＲＦエネルギ装置、焼灼装置、高調波装置、振動装置、超音波装置、締結具アプリケータ等の種々のタイプのエンドエフェクタの形式であってもよい。いくつかの実施形態では、一対の対向する顎部材であるエンドエフェクタではなく、エンドエフェクタは、エンドスコープ、撮像モダリティ及び／または検出モダリティであってもよい。
【００４５】
引き続き図３Ａ及び３Ｂを参照すると、外科手術アセンブリ３０の機器駆動装置１００は、胴体部１１０と、胴体部１１０から遠位に延在する連結シャフト１２０とを含む。上に述べたように、機器駆動装置１００は、胴体部１１０内部に配置された複数のモータ「Ｍ」を有する。モータ「Ｍ」は、機器駆動装置１００が電気機械器具１０と連結されると、電気機械器具１０のエンドエフェクタ１２の動作を駆動させるように機能する。胴体部１１０は、近位端１１２ａ及び遠位端１１２ｂを有し、それらの間に中央縦軸「Ｘ」を画定する。
【００４６】
胴体部１１０の遠位端１１２ｂは、電気機械器具１０の筐体部１６の近位端２０ａに動作可能に連結されるように構成される。胴体部１１０の遠位端１１２ｂは、機器駆動装置１００のそれぞれのモータ「Ｍ」に動作可能に接続された数の出力駆動連結具１１４を有する。出力駆動連結具１１４は、機器駆動装置１００のモータ「Ｍ」の独立した作動時に、電気機械器具１０の筐体部１６の入力駆動連結具２２が回転するように、電気機械器具１０の筐体部１６の入力駆動連結具２２に駆動連結されるように構成される。
【００４７】
機器駆動装置１００の胴体部１１０は、その遠位端１１２ｂ遠位に延在する部材１１６を有し得る。部材１１６は、筒状の形状にされてもよく、電気機械器具１０の筐体部１６に形成された弓状くぼみ６４内に受容されるように構成された任意の他の好適な形状であってもよい。機器駆動装置１００を電気機械器具１０とともに組み立てたときまたは連結したとき、機器駆動装置１００の筒状部材１１６の遠位端は、図３Ｂに示されるように、支持構造体５０の筒状部材５４の近位端と当接する。
【００４８】
機器駆動装置１００の連結シャフト１２０は、機器駆動装置１００の胴体部１１０の遠位端１１２ｂから遠位に延在し、機器駆動装置１００の筒状部材１１６を通り、それを越えて遠位に延在するかまたは突出する。機器駆動装置１００の連結シャフト１２０は、近位端１２２ａ及び遠位端１２２ｂを有し、それらの間に縦軸「Ｙ」を画定する。機器駆動装置１００の連結シャフト１２０は、それを通して縦方向に延在する通路１２４を画定し得る。通路１２４は、機器駆動装置１００の胴体部１１０から延在し、外科手術ロボットアーム２の電子部品に接続される電気配線または光ケーブル付線（図示せず）の通過のために構成され得る。
【００４９】
連結シャフト１２０の近位端１２２ａは、機器駆動装置１００の胴体部１１０の遠位端１１２ｂから延在し得、その結果、機器駆動装置１００の連結シャフト１２０の縦軸「Ｙ」が、機器駆動装置１００の胴体部１１０の中央縦軸「Ｘ」から半径方向にオフセットし、それと並行であるようにされる。連結シャフト１２０の遠位端１２２ｂは、支持構造体５０の筒状部材５４の通路５８内での取り外し可能な受容のために構成される。機器駆動装置１００の連結シャフト１２０及び支持構造体５０の通路５８は、通路５８がその内部に機器駆動装置１００の連結シャフト１２０を受容したとき、機器駆動装置１００の連結シャフト１２０が、その縦軸「Ｙ」を中心として回転可能に維持されるように寸法決めされている。
【００５０】
このように、機器駆動装置１００は、第１の状態または位置と第２の状態または位置との間で、電気機械器具１０に対して、機器駆動装置１００の連結シャフト１２０の縦軸「Ｙ」を中心として回転可能である。第１の状態では、機器駆動装置１００の胴体部１１０は、図３Ｂ及び４Ａに示されるように、電気機械器具１０の筐体部１６と整列し位置合わせされ、電気機械器具１０が近位方向に移動することを防止する。第２の状態では、図４Ｂに示されるように、機器駆動装置１００の胴体部１１０は、電気機械器具１０の筐体部１６と整列せず位置合わせされず、その結果、電気機械器具１０が、支持構造体５０及び外科手術ロボットアーム２から近位方向に移動可能になり、それによって、電気機械器具１０は、外科手術ロボットアーム２から取り外されることができる。電気機械器具１０は、機器駆動装置１００が電気機械器具１０の筐体部１６と整列している場合であっても、近位方向に移動可能であり得ることが考えられる。
【００５１】
機器駆動装置１００の連結シャフト１２０の遠位端１２２ｂは、支持構造体５０のボタン６０の一部の取り外し可能な受容のために構成された、その内部に形成された環状の切欠き１２６を有する。このように、支持構造体５０のボタン６０を押すと、ボタン６０は、機器駆動装置１００の連結シャフト１２０の切欠き１２６を係合し、機器駆動装置１００の連結シャフト１２０を支持構造体５０の筒状部材５４の通路５８内に保持し、連結シャフト１２０がその縦軸「Ｙ」に沿って近位または遠位方向のいずれかに移動することを防止する。いくつかの実施形態では、連結シャフト１２０は、それに沿って複数の環状の切欠きまたはノッチ１２６を含み得る。各切欠きは、支持構造体５０のボタン６０と選択的に係合可能であってもよい。このように、機器駆動装置１２０は、支持構造体５０及び外科手術ロボットアーム２に対して、縦軸「Ｙ」に沿って複数の縦方向位置間で移動し、選択された縦方向位置で停止し得る。
【００５２】
一実施形態では、外科手術アセンブリ３０は、ボタン６０が離されると、機器駆動装置１００を外科手術器具１０と整列せず位置合わせしないように自動的にカムするように構成され得る。例えば、支持構造体５０は、支持構造体５０の筒状部材５４の通路５８内部に配置され、連結シャフト１２０の遠位端１２２ｂに近位に配向された力を付与することによって、機器駆動装置１００を近位位置に向かって付勢する付勢部材（図示せず）を含み得る。さらに、機器駆動装置１００の筒状部材１１６の遠位端と、支持構造体５０の筒状部材５４の近位端とは、互いに作動係合しているカム機能または環状の傾斜機能（明示しない）を各々有し得る。このように、ボタン６０が連結シャフト１２０から係合解除されると、支持構造体５０の付勢部材は、機器駆動装置１００の連結シャフト１２０を、支持構造体５０に対して近位に移動させる。機器駆動装置１００の連結シャフト１２０が近位に移動するに従って、機器駆動装置１００及び支持構造体５０のカム機能は、互いに協働して、機器駆動装置１００を軸「Ｙ」の周りで回転させ、機器駆動装置１２０を外科手術器具１０と整列せず位置合わせしないように位置付ける。
【００５３】
いくつかの実施形態では、連結シャフト１２０の遠位端１２２ｂは、支持構造体５０または外科手術ロボットアーム２に固定して連結され得、連結シャフト１２０の近位端１２２ａは、機器駆動装置１００の胴体部１１０の遠位端１１２ｂに着脱可能に連結されるように構成され得る。
【００５４】
機器駆動装置１００は、機器駆動装置１００の胴体部１１０の反対側に配置された一対のラッチ１２８をさらに含む。各ラッチ１２８は、胴体部１１０の遠位端１１２ｂに枢転可能に連結された第１の端１３０ａと、第２の端１３０ｂとを有する。ラッチ１２８の第２の端１３０ｂは、電気機械器具１０の筐体部１６の近位端２０ａに形成され、機器駆動装置１００を電気機械器具１０とロックさせるノッチ２７に着脱可能に連結されるように構成される。いくつかの実施形態では、機器駆動装置１００の胴体部１１０は、例えば、ねじ係合、クリップ、摩擦嵌め嵌合、ボタン、様々な締付具、及び／またはバヨネット型接続等の様々な締付係合を介して、電気機械器具１０に取り付けられ得る。
【００５５】
図３Ａ、３Ｂ、４Ａ、及び４Ｂを参照すると、使用時に、支持構造体５０の環状部材５２は、外科手術ロボットアーム２の継手「Ｊ」に連結される。電気機械器具１０は、電気機械器具１０のラッチ２４が、支持構造体５０の内側表面（図示せず）に接続して、電気機械器具１０を支持構造体５０に接続させるまで、支持構造体５０の経路５６を通して、図３Ａの矢印「Ａ」によって示される遠位方向に案内される。
【００５６】
次に、本開示の一態様では、機器駆動装置１００の胴体部１１０は、電気機械器具１０の筐体部１６と整列され、機器駆動装置１００の連結シャフト１２０は、支持構造体５０の筒状部材５４の通路５８と位置合わせされる。そして、機器駆動装置１００は、図３Ｂ及び４Ａに示されるように、機器駆動装置１００の筒状部材１１６が支持構造体５０の筒状部材５４に当接し、機器駆動装置１００の胴体部１１０の遠位端１１２ｂが電気機械器具１０の筐体部１６の近位端２０ａに当接するまで、機器駆動装置１００の連結シャフト１２０を支持構造体５０の筒状部材５４の通路５８内に案内することによって、電気機械器具１０に連結される。
【００５７】
機器駆動装置１００が電気機械器具１０に連結されると、機器駆動装置１００の出力駆動連結具１１４は、電気機械器具１０の入力駆動連結具２２に駆動連結される。機器駆動装置１００のラッチ１２８の遠位端１３０ｂは、電気機械器具１０の筐体部１６に接続されて、機器駆動装置１００を電気機械器具１０と着脱可能にロックし得る。
【００５８】
図３Ａ及び４Ｂを参照すると、機器駆動装置１００を完全に切り離すことなく、支持構造体５０及び外科手術ロボットアーム２から電気機械器具１０を選択的に取り除くために、機器駆動装置１００は、まず電気機械器具１０に対して、連結シャフト１２０の縦軸「Ｙ」の周りで、図３Ａ及び４Ｂの矢印「Ｂ」によって示される方向に回転し、図３Ａ及び４Ｂに示されるように、機器駆動装置１００の胴体部１１０を電気機械器具１０の筐体部１６と整列しないかまたは位置合わせされないように位置付ける。機器駆動装置１００の胴体部１１０が電気機械器具１０の筐体部１６と整列していないように配置されるかまたは回転すると、電気機械器具１０のラッチ２４は、支持構造体５０から外され得、電気機械器具１０は、外科手術ロボットアーム２及び支持構造体５０から離れた近位方向に移動し得る。理解されるように、機器駆動装置１００が機能し損ねた場合、機器駆動装置１００は、器具１０と整列せず位置合わせされないように移動され得、その結果、電気機械器具１０の入力駆動連結具２２が、手動でアクセスされ得るようにされる。
【００５９】
外科手術ロボットアーム２から電気機械器具１０を取り除くとき、電気機械器具１０は、滅菌されて再利用されるか、または別の電気機械器具と置き換えられ得る。機器駆動装置１００が、電気機械器具１０の経路と整列または位置合わせされる状態に、及び整列または位置合わせされない状態に回転する能力は、外科手術ロボットアーム２から機器駆動装置１００をさらに取り外す必要なく、外科手術ロボットアーム２から電気機械器具１０を取り外すことを可能にする。このように、機器駆動装置１００は、外科手術手順中常に外科手術ロボットアーム２に接続されたままにされ得る。
【００６０】
また、本明細書に記載された外科手術アセンブリによって提供されるさらなる利点は、外科手術器具を取り外すために機器駆動装置を取り除くことを必要としないことによって、機器駆動装置が落下するかまたは破損することを防止し得、手術後の機器駆動装置の容易な取り除きを可能にし得、外科手術器具の片手での交換を可能にし得、機器駆動装置、電気機械外科手術器具、及び外科手術ロボットアームの間の構造的な安定性及び整列を改善し得、外科手術器具の交換中に機器駆動装置を収容するために必要とされる空間量を最小限にし得る。
【００６１】
いくつかの実施形態では、機器駆動装置の連結シャフト及び／または電気機械器具１０は、機械的機能、比色標識、光学標識、電気的標識、抵抗器、リードスイッチ、メモリ装置、接触子，または他の識別技術等の、ユニットまたは器具を識別するための手段を含み得る。上記の機能は、マイクロスイッチ、センサ、デジタル回路またはアナログ回路のうちの少なくとも１つを作動させるかまたはそれと通信して、機器駆動装置の状態を確認し、機器駆動装置または外科手術器具のモデル及び／またはシリアル番号を識別するか、各々の使用数を判定するか、較正設定を判定するか、外科手術器具の正しい装填を検出するか、または機器駆動装置の連結シャフトの装填位置または角度／変位を判定するように構成され得る。
【００６２】
一実施形態では、図４Ａに示されるように、外科手術アセンブリ３０は、機器駆動装置１００、器具１０、支持構造体５０、及び外科手術ロボットアーム２の間に延在するデイジーチェーンのセンサ１１３を含む。センサ１１３は、上で言及された外科手術アセンブリ３０の部品のうちの少なくとも２つの任意の組み合わせの間に延在し得ることが考えられる。センサ１３０は、機器駆動装置１００、器具１０、支持構造体５０、及び外科手術ロボットアーム２の各々が、組み立てられたときに互いに正しく接続されたときに検出するように構成される。
【００６３】
図５Ａ及び５Ｂを参照すると、ロボット外科手術システムの別の実施形態が提供され、全般に参照番号２００によって指定されている。ロボット外科手術システム２００は、上記のシステム１に類似しているため、その相違に関してのみ記載されている。ロボット外科手術システム２００は、以下に詳細に記載されるように、その機器駆動装置２０２が外科手術ロボットアーム２に連結される点において、システム１と異なる。
【００６４】
機器駆動装置２０２は、胴体部２１０と、そこから延在する連結シャフト２２０とを含む。連結シャフト２２０は、胴体部２１０に連結される近位端２２２ａと、遠位端２２２ｂとを有する。連結シャフト２２０の遠位端２２２ｂは、外科手術ロボットアーム２にヒンジ式に連結され、その結果、機器駆動装置２０２は、図５Ａに示されるような第１の状態と、図５Ｂに示されるような第２の状態との間で、外科手術ロボットアーム２に対して枢転可能であるかまたは関節動作可能である。このように、使用時に、電気機械器具１０を外科手術ロボットアーム２から抜き差しするために、機器駆動装置２０２は、ヒンジ式継手（明示しない）の周りで、機器駆動装置２０２及び電気機械器具１０が互いに整列して位置合わせされている第１の状態から、機器駆動装置２０２が電気機械器具１０と整列せず位置合わせされていない第２の状態に枢転するかまたは関節動作することができる。連結シャフト５０が支持構造体５０または外科手術ロボットアーム２にヒンジ式に接続されているのではなく、代わりに機器駆動装置１００の連結シャフト１２０は、機器駆動装置１００をその周りで曲げるかまたは関節動作させ、外科手術器具１０と整列せず位置合わせしないことを可能にするように、連結シャフト１２０の中間部に配置されたヒンジ（図示せず）を含んでもよいことが考えられる。
【００６５】
図６Ａ及び６Ｂを参照すると、本開示の外科手術アセンブリは、外科手術手順の開始に先立って、外科手術ロボットアーム２の滅菌インターフェース１４０への機器駆動装置１００のすばやい設置を可能にし得る。滅菌インターフェース１４０は、支持構造体５０を再配置し得、外科手術器具１０等の外科手術器具を収容するようにロボットアーム２の一端に取り付けられ得る。いくつかの実施形態では、滅菌インターフェース１４０は、支持構造体５０を包み得る。
【００６６】
滅菌インターフェース１４０は、支持構造体１４１と、支持構造体１４１に留め付けられた滅菌ドレープ１４２とを含む。いくつかの実施形態では、滅菌ドレープ１４２は、支持構造体１４１に留め付けられてもよく、または連結部材（明示しない）を介して支持構造体１４１に連結されてもよい。連結部材は、滅菌ドレープ１４２を支持構造体１４１に移動不可能に固定し得る。いくつかの実施形態では、連結部材は、滅菌ドレープ１４２をｔｏ支持構造体１４１に連結し得、その結果、支持構造体１４１の部品は、支持構造体１４１によって画定された縦軸「Ｙ」の周りで、滅菌ドレープ１４２に対して回転することができ、同時に滅菌ドレープ１４２によって作り出された滅菌隔壁を維持する。例えば、連結部材は、滅菌ドレープ１４２と支持構造体１４１との間のＯリングまたは弾性変形可能に封止された面であってもよい。
【００６７】
滅菌インターフェース１４０の支持構造体１４１は、本体１４３と、近位取り付け部材１４４ａと、遠位取り付け部材１４４ｂとを含む。本体１４３は、外側胴体１４５と、その内部に回転可能に配置された内側胴体１４７とを含む。いくつかの実施形態では、内側胴体１４７は、外側胴体１４５の内部に固定して配置され得る。外側胴体１４５は、そこから横方向に延在し、外科手術ロボットアーム２に連結するように構成された合わせ面またはコネクタ１４９を有する。いくつかの実施形態では、外側胴体１４５は、外科手術ロボットアーム２と一体形成され得る。本体１４３の外側胴体及び内側胴体１４５、１４７は、（図６Ｂ）コネクタ１４９を通して画定された水平軸「Ｘ」の周りでともに回転可能である。内側胴体１４７は、支持構造体１４１によって画定された縦軸「Ｙ」（図６Ｂ）の周りで、外側胴体１４５に対して回転可能である。
【００６８】
支持構造体１４１の近位取り付け部材１４４ａは、縁１４６と、そこから延在するカニューレ状のシャフト１４８とを有する。縁１４６は、内側胴体１４７の対応する形状にされた近位縁１４０ａの周囲に適合する。近位取り付け部材１４４ａのカニューレ状のシャフト１４８は、本体１４３に画定された経路１５０内での受容のために構成される。器具１０（図２）または任意の好適な外科手術器具は、組み立てられたとき、カニューレ状のシャフト１４８を通過し得る。遠位取り付け部材１４４ｂは、内側部材１４７の遠位端１４０ｂに連結されるように構成される。滅菌ドレープ１４２の近位端１４２ａは、近位取り付け部材１４４ａの縁１４６に固定され、滅菌ドレープ１４２の遠位端１４２ｂは、内側胴体１４７の遠位端１４０ｂに固定され、その結果、滅菌ドレープ１４２は、本体１４３を包み、滅菌インターフェース１４０の滅菌を維持する。
【００６９】
いくつかの実施形態では、滅菌インターフェース１４０は、その内部に配置され、ロボットアーム２に連結される任意の好適な外科手術装置（例えば、電気外科手術装置または電気焼灼装置）のための電気絶縁または誘電隔壁を提供するために用いられてもよい。
【００７０】
いくつかの実施形態では、機器駆動装置１００の筐体部１１０は、その内部にモータ「Ｍ」及び電子機器を選択的に包囲するクラムシェルの形式であってもよい。
【００７１】
本明細書で開示されている実施形態に対して様々な改変を行い得ることが理解されるだろう。したがって、上の明細書は、限定として解釈されるべきではなく、様々な実施形態の単なる例示として解釈されるべきである。当業者であれば、添付の特許請求の範囲及び趣旨内で他の改変を想定するだろう。
【図１】
2018519057.tif 000003
【図２】
2018519057.tif 000004
【図３Ａ】
2018519057.tif 000005
【図３Ｂ】
2018519057.tif 000006
【図４Ａ】
2018519057.tif 000007
【図４Ｂ】
2018519057.tif 000008
【図５Ａ】
2018519057.tif 000009
【図５Ｂ】
2018519057.tif 000010
【図６Ａ】
2018519057.tif 000011
【図６Ｂ】
2018519057.tif 000012
【国際調査報告】
2018519057.tif 000013
2018519057.tif 000014